(57)【要約】【課題】燃え残った線香を簡単に除去できる線香立てを提供する。【解決手段】円柱の周縁に垂直方向の切り欠き部２ｂが形成されてなる台座２と、台座２の上面２ａに水平方向に回転自在に取り付けられ、円柱の上面から下面に向けて垂直方向に貫通する線香挿入孔３ａが穿設されてなる線香保持体３とからなり、線香保持体３を回転させることにより、線香挿入孔３ａが台座２の上面２ａの真上に配置される線香保持位置と、線香挿入孔３ａが切り欠き部２ｂの真上に配置される線香排出位置とを切り換え可能にした。【選択図】図１
2007144099.tif 000002
【特許請求の範囲】
【請求項１】
柱状の台座と、前記台座の上面に水平方向に回転自在に取り付けられ、垂直方向に貫通する線香挿入孔が穿設された柱状の線香保持体とからなり、
前記線香保持体を回転させることにより、前記線香挿入孔が前記台座の上面の真上に配置される線香保持位置と、前記線香挿入孔が前記台座の上面の真上以外に配置される線香排出位置とを切り換え可能にしたことを特徴とする線香立て。
【請求項２】
円柱の周縁に垂直方向の切り欠き部が形成されてなる台座と、前記台座の上面に水平方向に回転自在に取り付けられ、円柱の上面から下面に向けて垂直方向に貫通する線香挿入孔が穿設されてなる線香保持体とからなり、
前記線香保持体を回転させることにより、前記線香挿入孔が前記台座の上面の真上に配置される線香保持位置と、前記線香挿入孔が前記切り欠き部の真上に配置される線香排出位置とを切り換え可能にしたことを特徴とする線香立て。
【請求項３】
前記台座の高さを前記線香保持体の高さよりも高くしたことを特徴とする請求項１又は請求項２に記載の線香立て。
【請求項４】
前記線香保持体に、大きさの異なる複数の前記線香挿入孔を設けたことを特徴とする請求項１乃至請求項３のうちいずれか一つに記載の線香立て。
【請求項５】
前記線香保持体が取り付けられた前記台座を、上部が開口された携帯可能な収容体の内底面に固着するとともに、前記収容体と嵌合する蓋体で覆ったことを特徴とする請求項１乃至請求項４のうちいずれか一つに記載の線香立て。
【発明の詳細な説明】
【技術分野】
【０００１】
本発明は、線香立てに関する。より詳しくは、燃え残った線香を簡単に除去できる線香立てに関する。
【背景技術】
【０００２】
従来、墓や仏壇の前で線香を使用する場合には、砂や灰を敷き詰めた線香立てに線香を突き刺して立てることにより行っている。
また、金属や石製の筒体を形成して、筒体内に線香を挿入して使用する線香立てもあり、室内でのアロマテラピー等にも使用されている。
【０００３】
さらに、特許文献１には、線香挿入孔を穿設した円柱形状の線香立ての下部に略ひずめ状の切り欠き部を形成して、この切り欠き部に指先を差し入れて燃え残った線香を取り出すようにした発明が記載されている。
【特許文献１】実開平７−１４０３１号公報
【発明の開示】
【発明が解決しようとする課題】
【０００４】
しかしながら、上記従来の砂や灰を敷き詰めた線香立てによれば、線香が燃え尽きてしまうと、燃え残った線香が砂や灰の中に取り残されてしまい、取り出すのが困難であった。また、屋外で使用すると雨水等により砂や灰が固まって固くなり、線香を立てられなくなることもあった。同様に、筒体を形成した線香立てにおいても、筒体内に残存する燃え残りの線香を取り出すことが困難であった。
そのため、墓参りの際には、焼香から後片付けまでに手間がかかり、室内で香を楽しむ際には、その都度線香立てを掃除する必要があり連続して新しい線香を立てることができなかった。
【０００５】
これに対して、特許文献１に記載された発明は、切り欠き部から燃え残りの線香を取り出すようにしたものであるが、燃え残った線香の長さによっては、切り欠き部から取り出そうとしても、線香の上部が線香挿入孔に引っ掛かってうまく取り出すことができないという問題が生じる。また、取り出し時に手が汚れてしまうという問題もある。
【０００６】
そこで本発明は上記従来の課題を解決するためのものであり、燃え残った線香を簡単に除去できる線香立てを提供するものである。
【課題を解決するための手段】
【０００７】
上記従来の課題を解決するために、請求項１に係る発明の線香立ては、柱状の台座（２）と、前記台座（２）の上面（２ａ）に水平方向に回転自在に取り付けられ、垂直方向に貫通する線香挿入孔（３ａ）が穿設された柱状の線香保持体（３）とからなり、前記線香保持体（３）を回転させることにより、前記線香挿入孔（３ａ）が前記台座（２）の上面（２ａ）の真上に配置される線香保持位置と、前記線香挿入孔（３ａ）が前記台座（２）の上面（２ａ）の真上以外に配置される線香排出位置とを切り換え可能にしたことを特徴とする。
【０００８】
また、請求項２に係る発明の線香立ては、円柱の周縁に垂直方向の切り欠き部（２ｂ）が形成されてなる台座（２）と、前記台座（２）の上面（２ａ）に水平方向に回転自在に取り付けられ、円柱の上面から下面に向けて垂直方向に貫通する線香挿入孔（３ａ）が穿設されてなる線香保持体（３）とからなり、前記線香保持体（３）を回転させることにより、前記線香挿入孔（３ａ）が前記台座（２）の上面（２ａ）の真上に配置される線香保持位置と、前記線香挿入孔（３ａ）が前記切り欠き部（２ｂ）の真上に配置される線香排出位置とを切り換え可能にしたことを特徴とする。
【０００９】
また、請求項３に係る発明は、請求項１又は請求項２に記載の発明において、前記台座（２）の高さを前記線香保持体（３）の高さよりも高くしたことを特徴とする。
【００１０】
また、請求項４に係る発明は、請求項１乃至請求項３のうちいずれか一つに記載の発明において、前記線香保持体（３）に、大きさの異なる複数の前記線香挿入孔（３ａ）を設けたことを特徴とする。
【００１１】
また、請求項５に係る発明は、請求項１乃至請求項４のうちいずれか一つに記載の発明において、前記線香保持体（３）が取り付けられた前記台座（２）を、上部が開口された携帯可能な収容体（１）の内底面（１ａ）に固着するとともに、前記収容体（１）と嵌合する蓋体（４）で覆ったことを特徴とする。
【００１２】
なお、括弧内の記号は、発明を実施するための最良の形態および図面に記載された対応要素または対応事項を示す。
【発明の効果】
【００１３】
請求項１に記載の発明の線香立てによれば、柱状の線香保持体に、線香挿入孔が穿設されているので、線香挿入孔に線香を挿入して立てることができる。
また、線香保持体は、柱状の台座の上面に、水平方向に回転自在に取り付けられており、線香保持体を回転させて、線香挿入孔が台座の上面の真上に配置される線香保持位置と、線香挿入孔が台座の上面の真上以外に配置される線香排出位置とを切り換えることができる。これにより、線香保持位置では、線香挿入孔に挿入された線香の下端が台座の上面に当接して支持される。そして、線香排出位置では、線香の下端が台座の上面に支持されずに落下するので、燃え残った線香を簡単に除去することができる。
【００１４】
また、請求項２に記載の発明の線香立てによれば、線香保持体に、円柱の上面から下面に向けて垂直方向に貫通する線香挿入孔が穿設されているので、線香挿入孔に線香を挿入して立てることができる。
また、線香保持体は、円柱の周縁に垂直方向の切り欠き部が形成された台座の上面に、水平方向に回転自在に取り付けられており、線香保持体を回転させて、線香挿入孔が台座の上面の真上に配置される線香保持位置と、線香挿入孔が切り欠き部の真上に配置される線香排出位置とを切り換えることができる。これにより、線香保持位置では、線香挿入孔に挿入された線香の下端が台座の上面に当接して支持される。そして、線香排出位置では、線香が切り欠き部に落下するので、燃え残った線香を簡単に除去することができる。
【００１５】
また、請求項３に記載の発明によれば、請求項１又は請求項２に記載の発明の作用効果に加えて、台座の高さを線香保持体の高さよりも高くしたので、線香が線香保持体の上面ぎりぎりで消えて、線香挿入孔の高さだけ線香が燃え残った場合に、線香保持体を回転させて線香排出位置にすれば、燃え残った線香の上端が引っ掛かることがないため、燃え残った線香を確実に落下させて除去することができる。
【００１６】
また、請求項４に記載の発明によれば、請求項１乃至請求項３のうちいずれか一つに記載の発明の作用効果に加えて、線香保持体に、大きさの異なる複数の線香挿入孔を設けたので、太さの異なる線香についても使用することができる。
【００１７】
また、請求項５に記載の発明によれば、請求項１乃至請求項４のうちいずれか一つに記載の発明の作用効果に加えて、線香保持体が取り付けられた台座を、上部が開口された携帯可能な収容体の内底面に固着するとともに、収容体と嵌合する蓋体で覆ったので、墓参り等に手軽に持参して使用するとともに、蓋をして線香の燃え残りとともに持ち帰ることができる。また、線香を短く折って内部に入れておくこともでき、無駄が生じず、跡も汚さない。
【００１８】
このように、本発明によれば、墓参りの際には、焼香から後片付けまでの手間がかからず、室内で香を楽しむ際には、その都度線香立てを掃除する必要がなく連続して新しい線香を立てることができる。
【発明を実施するための最良の形態】
【００１９】
次に、図１乃至図３を参照して、本発明の実施形態に係る線香立ての構成について説明する。
図１は、本実施形態に係る線香立て１００を示す分解斜視図である。図１に示すように、線香立て１００は、収容体１、台座２、線香保持体３、及び蓋体４から構成されている。図２（ａ）は台座２を示す平面図であり、図２（ｂ）は線香保持体３を示す平面図である。また、図３は線香立て１００の蓋を閉めた状態を示す断面図である。
【００２０】
収容体１は、底面が円形で縦断面略凹字状の皿状体であり、内底面１ａ、内壁面１ｂが形成されている。内底面１ａの中央には突起１ｃが上方に向けて突設されている。また、内壁面１ｂの上部周縁には、蓋体４と嵌合する段差１ｄが設けられている。
【００２１】
台座２は、円柱の周縁に垂直方向の切り欠き部２ｂが形成された形状となっている。図２（ａ）に示すように、この切り欠き部２ｂは、切り欠き前の円柱の垂直方向の中心軸２ｄを残して、円柱の上面から下面に向けて直線状に切断するようにして形成されている。
台座２の下面には収容体１の突起１ｃに嵌合する凹部が設けられている。この凹部に突起１ｃを嵌合させて接着剤等により固定することにより、台座２は収容体１の内底面１ａに固着されている。
また、台座２の上面中央部分（中心軸２ｄのまわり）には、突起２ｃが上方に向けて突設されている。
【００２２】
線香保持体３は、円柱の上面から下面に向けて垂直方向に貫通する線香挿入孔３ａが穿設された形状となっている。線香挿入孔３ａの大きさは、挿入される線香の太さよりも大きくして、孔内を線香が引っ掛かることなく移動できるようになっている。ただし、大きすぎると線香を立てたとき傾くため、線香の太さよりも若干大きくするとよい。
本実施形態では、図２（ｂ）に示すように、線香挿入孔３ａを線香保持体３の周縁に沿って５箇所設けているが、その数は特に限定されるものではない。また、線香保持体３の上面の大きさは、台座２の切り欠き前の円柱の上面の大きさと同一となっているが、線香保持体３と台座２の上面の大きさが異なっていてもよい。
【００２３】
線香保持体３の下面には台座２の突起２ｃに嵌合する凹部が設けられている。この凹部に突起２ｃを嵌合させることにより、線香保持体３は台座２の上面２ａに、水平方向に回転自在となるように取り付けられている。
なお、線香保持体３の下面と台座２の上面２ａは、摺接するようになっていてもよいし、両者の間に隙間が生じていてもよい。また、突起２ｃを線香保持体３の上面まで貫通させて上端を鍔状に拡径させるなどして、線香保持体３が台座２から外れないようにしてもよい。
【００２４】
ここで、線香保持体３の円柱の垂直方向の中心軸を３ｄとすると、線香保持体３を台座２に取り付けたときに、台座２の中心軸２ｄと線香保持体３の中心軸３ｄが同一線上に位置するようになっている。すなわち、台座２の上面２ａに線香保持体３を取り付けた状態を上方から見ると、台座２と線香保持体３が同心円上に配置されるようになっている。
【００２５】
また、線香保持体３の高さは、線香挿入孔３ａに線香を立てたときに、線香が倒れない程度の高さであればよい。また、図４に示すように、台座２の高さＴが線香保持体３の高さｔよりも高くなるように形成すれば、後述するように、燃え残りの線香の除去が容易になるため好ましい。
【００２６】
蓋体４は、上面が円形で縦断面略逆凹字状の逆皿状体であり、周縁が収容体１の段差１ｄに嵌合するようになっている。
なお、蓋体４の周縁と収容体１の段差１ｄに、それぞれネジ溝を形成して、蓋体４が収容体１から外れないように締め付けることができるようにしてもよい。
【００２７】
次に、図４乃至図７を参照して、本実施形態に係る線香立て１００の使用方法について説明する。
図４は、線香立て１００の使用状態を示す斜視図である。図４に示すように、線香をたく場合には、線香５０を線香保持体３の線香挿入孔３ａに差し込んだ後、火をつけて使用する。このとき、線香５０が差し込まれた線香挿入孔３ａは、台座２の上面２ａの真上に位置し、線香５０の下端が台座２の上面２ａで支持されるようになっている。
なお、図４では線香５０を１本立てているが、線香挿入孔３ａの数だけ立てて使用することが可能である。
【００２８】
使用後は、線香５０の火を消して、燃え残りの線香５０を線香挿入孔３ａから引き抜いて除去するが、線香５０が短くなりすぎた場合には、線香５０をつまむことが困難となる。特に、線香５０の火をつけたままにしておくと、線香５０が線香挿入孔３ａの上端ぎりぎりまで燃えた後、空気が遮断されて消えてしまう。そして、線香挿入孔３ａの長さ分だけ線香５０が燃え残り、線香挿入孔３ａの内部に取り残されてしまう。
このような場合の線香除去方法を以下に説明する。
【００２９】
図５（ａ）は、線香５０が線香挿入孔３ａ内に燃え残った状態を示す平面図であり、図５（ｂ）は図５（ａ）のＡ−Ａ断面図である。また、図６（ａ）は、線香５０を線香挿入孔３ａから除去した状態を示す平面図であり、図６（ｂ）は図６（ａ）のＢ−Ｂ断面図である。
【００３０】
図５に示す状態では、線香５０が燃え残ったままの線香挿入孔３ａは、台座２の上面２ａの真上に配置されている（この位置を以下、「線香保持位置」という。）。このとき、線香５０の下端は台座２の上面２ａに当接して支持されているので、線香５０が線香挿入孔３ａの内部に残されている。
次に、線香保持体３を回転させた後の、図６に示す状態では、線香５０が残っていた線香挿入孔３ａは、台座２の切り欠き部２ｂの真上に配置されている（この位置を以下、「線香排出位置」という。）。このとき、線香５０の下端は台座２の上面２ａに支持されることはないので、線香５０が切り欠き部２ｂに向けて落下して、線香挿入孔３ａから排出される。このとき、台座２の高さＴが線香保持体３の高さｔよりも高くなるように形成しておくことにより、線香挿入孔３に残っていた線香５０は、上端が引っ掛かることなく、切り欠き部２ｂに完全に落下する。
このように、線香保持位置と線香排出位置とを切り換え可能として、燃え残った線香５０を除去することができる。
【００３１】
なお、線香挿入孔３ａは、線香保持位置では台座２の上面２ａの真上に位置し、線香排出位置では台座２の切り欠き部２ｂの真上に位置するように形成されている必要があるので、少なくとも線香保持体３の中心軸３ｄよりも外周側に設けられている。そして、線香排出位置において、切り欠き部２ｂよりも外周側に位置するように設けられている。
【００３２】
次に、図７を参照して、線香挿入孔３ａの内部に、線香挿入孔３ａの長さよりも長い線香が残った場合の線香除去方法を説明する。図７は、この場合の線香除去方法を示す断面図である。
図７（ａ）に示す状態では、線香５０が燃え残ったままの線香挿入孔３ａは、台座２の上面２ａの真上に配置されている（線香保持位置）。このとき、線香５０の下端は台座２の上面２ａに当接して支持されているので、線香５０が線香挿入孔３ａの内部に残されている。また、線香５０は線香挿入孔３ａの上方に突き出ている。
次に、線香保持体３を回転させた後の、図７（ｂ）に示す状態では、線香挿入孔３ａは、台座２の切り欠き部２ｂの真上に配置されている（線香排出位置）。このとき、線香５０の下端は台座２の上面２ａに支持されることはないので、線香５０が切り欠き部２ｂに向けて落下する。ただし、落下後も線香５０の上部が線香挿入孔３ａに留まるため、線香５０は完全には排出されない。
【００３３】
次に、さらに線香保持体３を回転させた後の、図７（ｃ）に示す状態では、再び線香挿入孔３ａは、台座２の上面２ａの真上に配置されている（線香保持位置）。そして回転時に線香挿入孔３ａが移動することにより、線香５０が下側部分５０ａと上側部分５０ｂに切断され、下側部分５０ａは排出され、上側部分５０ｂは線香挿入孔３ａに残される。
次に、さらに線香保持体３を回転させた後の、図７（ｄ）に示す状態では、再び線香挿入孔３ａは、台座２の切り欠き部２ｂの真上に配置されている（線香排出位置）。そして、上側部分５０ｂが排出されて、線香の除去が完了する。
このように、線香保持位置と線香排出位置とを繰り返して切り換えることで、少し長めの線香５０を除去することができる。
【００３４】
本実施形態に係る線香立て１００によれば、線香保持体３に、円柱の上面から下面に向けて垂直方向に貫通する線香挿入孔３ａが穿設されているので、線香挿入孔３ａに線香５０を挿入して立てることができる。
また、線香保持体３は、円柱の周縁に垂直方向の切り欠き部２ｂが形成された台座２の上面２ａに、水平方向に回転自在に取り付けられており、線香保持体３を回転させて、線香挿入孔３ａが台座２の上面２ａの真上に配置される線香保持位置と、線香挿入孔３ａが切り欠き部２ｂの真上に配置される線香排出位置とを切り換えることができる。これにより、線香保持位置では、線香挿入孔３ａに挿入された線香５０の下端が台座２の上面２ａに当接して支持される。そして、線香排出位置では、線香５０が切り欠き部２ｂに落下するので、燃え残った線香５０を簡単に除去することができる。
【００３５】
また、台座２の高さＴを線香保持体３の高さｔよりも高くすることにより、線香５０が線香保持体３の上面ぎりぎりで消えて、線香挿入孔３ａの高さｔだけ線香５０が燃え残った場合に、線香保持体３を回転させて線香排出位置にすれば、燃え残った線香５０の上端が引っ掛かることがないため、燃え残った線香５０を確実に落下させて除去することができる。
【００３６】
また、線香保持体３が取り付けられた台座２を、上部が開口された携帯可能な収容体１の内底面１ａに固着するとともに、収容体１と嵌合する蓋体４で覆ったので、墓参り等に手軽に持参して使用するとともに、蓋をして線香の燃え残りとともに持ち帰ることができる。また、線香を短く折って内部に入れておくこともでき、無駄が生じず、跡も汚さない。
【００３７】
このように、本実施形態に係る線香立て１００によれば、墓参りの際には、焼香から後片付けまでの手間がかからず、室内で香を楽しむ際には、その都度線香立てを掃除する必要がなく連続して新しい線香を立てることができる。
【００３８】
なお、上記実施形態における台座２と線香保持体３の組み合わせの他にも、様々な組み合わせが可能である。以下、他の実施形態に係る台座と線香保持体について説明する。
【００３９】
図８は、線香保持体に設ける線香挿入孔を変更した実施形態を示す平面図であり、それぞれ（ａ）台座５、（ｂ）線香保持体６を示している。台座５と線香保持体６は、それぞれの中心軸５ｄと６ｄが同一線上に位置するようにして、取り付けられる。
線香保持体６には、大きさの異なる複数の線香挿入孔６ａ，６ｂ，６ｃが設けられている。そして、線香排出位置において、最も大きな線香挿入孔６ｃからも線香を排出することができるように、台座５の切り欠き部５ｂを大きく形成している。
台座５と線香保持体６を組み合わせた線香立てによれば、線香保持体６に、大きさの異なる複数の線香挿入孔６ａ，６ｂ，６ｃを設けたので、太さの異なる線香についても使用することができる。
【００４０】
図９は、台座の切り欠き部の形状を変更した実施形態を示す平面図であり、それぞれ（ａ）台座７、（ｂ）線香保持体８を示している。台座７と線香保持体８は、それぞれの中心軸７ｄと８ｄが同一線上に位置するようにして、取り付けられる。
線香保持体８には、線香挿入孔８ａが３箇所設けられている。そして、台座７の切り欠き部７ｂは、円柱の周縁を垂直方向に略半円形に切り欠くことにより形成されている。このような、台座７と線香保持体８の組み合わせによっても、線香保持体８を回転させることにより、線香保持位置と線香排出位置を切り換えて燃え残った線香を簡単に除去することができる。
【００４１】
図１０は、台座に切り欠き部を設けない場合の実施形態を示す平面図であり、台座９の上面９ａに線香保持体１０を取り付けた状態を示している。
台座９と線香保持体１０はともに円柱状であり、線香保持体１０には線香挿入孔１０ａが設けられている。ただし、台座９には切り欠き部は設けられておらず、台座９と線香保持体１０の上面は、ともにほぼ同一の円形となっている。
ここで、線香保持体１０はその垂直方向の中心軸１０ｄを軸として回転するようになっているが、この中心軸１０ｄは、台座９の垂直方向の中心軸９ｄからずれた位置にある。このように取り付けることで、線香挿入孔１０ａが、台座９の上面９ａの真上に配置される線香保持位置と、線香挿入孔１０ａが台座９の上面９ａの真上以外に配置される線香排出位置とを切り換えることができるようになっている。
【００４２】
台座９と線香保持体１０を組み合わせた線香立てによれば、線香挿入孔１０ａが台座９の上面９ａの真上に配置される線香保持位置と、線香挿入孔１０ａが台座９の上面９ａの真上以外に配置される線香排出位置とを切り換えることができる。これにより、線香保持位置では、線香挿入孔１０ａに挿入された線香の下端が台座９の上面９ａに当接して支持される。そして、線香排出位置では、線香の下端が台座９の上面９ａに支持されずに落下するので、燃え残った線香を簡単に除去することができる。
【００４３】
図１１は、台座と線香保持体を四角柱により形成した場合の実施形態を示す平面図であり、台座１１の上面１１ａに線香保持体１２を取り付けた状態を示している。
台座１１と線香保持体１２はともに四角柱状であり、線香保持体１２にはその四隅に線香挿入孔１２ａが設けられている。そして、台座１１には切り欠き部は設けられておらず、台座１１と線香保持体１２の上面は、ともにほぼ同一の正方形となっている。
ここで、線香保持体１２はその垂直方向の中心軸１２ｄを軸として回転するようになっているが、この中心軸１２ｄは、台座１１の垂直方向の中心軸１１ｄと同一線上に位置するようになっている。このように取り付けることで、線香挿入孔１２ａが、台座１１の上面１１ａの真上に配置される線香保持位置と、線香挿入孔１２ａが台座１１の上面１１ａの真上以外に配置される線香排出位置とを切り換えることができるようになっており、図１０に示す実施形態と同様に、燃え残った線香を簡単に除去することができる。
【００４４】
以上のように、台座と線香保持体は、切り欠き部の有無や、台座や線香保持体の形状により様々に組み合わせることが可能であるが、柱状の台座に、線香挿入孔が穿設された柱状の線香保持体を回転自在に取り付けることにより、線香保持位置と線香排出位置を切り換えることができるものであればどのような組み合わせであってもよい。
【００４５】
また、上記実施形態では、台座２と線香保持体３を収容体１と蓋体４の内部に収容して携帯可能としたが、台座と線香保持体のみを、墓や仏壇の一つの部品として固定して取り付けて使用してもよい。
【図面の簡単な説明】
【００４６】
【図１】本発明の実施形態に係る線香立ての分解斜視図である。
【図２】本実施形態に係る線香立ての、（ａ）台座，（ｂ）線香保持体を示す平面図である。
【図３】本発明の実施形態に係る線香立ての、蓋を閉めた状態を示す断面図である。
【図４】本発明の実施形態に係る線香立ての使用状態を示す斜視図である。
【図５】本発明の実施形態に係る線香立ての線香保持位置を示す、（ａ）平面図，（ｂ）断面図である。
【図６】本発明の実施形態に係る線香立ての線香排出位置を示す、（ａ）平面図，（ｂ）断面図である。
【図７】本発明の実施形態に係る線香立ての線香除去方法を示す断面図である。
【図８】他の実施形態に係る線香立ての、（ａ）台座，（ｂ）線香保持体を示す平面図である。
【図９】他の実施形態に係る線香立ての、（ａ）台座，（ｂ）線香保持体を示す平面図である。
【図１０】他の実施形態に係る線香立ての、台座と線香保持体を示す平面図である。
【図１１】他の実施形態に係る線香立ての、台座と線香保持体を示す平面図である。
【符号の説明】
【００４７】
１      収容体
１ａ    内底面
１ｂ    内壁面
１ｃ    突起
１ｄ    段差
２      台座
２ａ    上面
２ｂ    切り欠き部
２ｃ    突起
２ｄ    中心軸
３      線香保持体
３ａ    線香挿入孔
３ｄ    中心軸
４      蓋体
５      台座
５ａ    上面
５ｂ    切り欠き部
５ｃ    突起
５ｄ    中心軸
６      線香保持体
６ａ    線香挿入孔
６ｂ    線香挿入孔
６ｃ    線香挿入孔
６ｄ    中心軸
７      台座
７ａ    上面
７ｂ    切り欠き部
７ｃ    突起
７ｄ    中心軸
８      線香保持体
８ａ    線香挿入孔
８ｄ    中心軸
９      台座
９ａ    上面
９ｄ    中心軸
１０      線香保持体
１０ａ    線香挿入孔
１０ｄ    中心軸
１１      台座
１１ａ    上面
１１ｄ    中心軸
１２      線香保持体
１２ａ    線香挿入孔
１２ｄ    中心軸
５０      線香
５０ａ    線香
５０ｂ    線香
１００      線香立て
【図１】
2007144099.tif 000003
【図２】
2007144099.tif 000004
【図３】
2007144099.tif 000005
【図４】
2007144099.tif 000006
【図５】
2007144099.tif 000007
【図６】
2007144099.tif 000008
【図７】
2007144099.tif 000009
【図８】
2007144099.tif 000010
【図９】
2007144099.tif 000011
【図１０】
2007144099.tif 000012
【図１１】
2007144099.tif 000013